(57)【要約】【課題】火炎等に晒されても貫通口が生じ難いシャッターを提供する。【解決手段】シャッターカーテンの側端部を収容する収容部を有し、前記シャッターカーテンの昇降を案内するアルミニウム製のガイド部材と、構造物に固定され、前記ガイド部材と少なくとも２箇所にて当接するアルミニウム製のガイド固定部材と、前記収容部内に設けられ、アルミニウムより融点が高い材料でなる補強部材と、前記補強部材とともに前記ガイド部材を挟持して固定され、アルミニウムより融点が高い材料でなる補強材固定部材と、を有し、前記補強材固定部材は、前記ガイド部材と前記ガイド固定部材とが当接する少なくとも２箇所の当接部を水平方向にて直接対向しないように仕切る仕切り部を備えている。【選択図】図３
2015028273.tif 000002
【特許請求の範囲】
【請求項１】
シャッターカーテンの側端部を収容する収容部を有し、前記シャッターカーテンの昇降を案内するアルミニウム製のガイド部材と、
構造物に固定され、前記ガイド部材と少なくとも２箇所にて当接するアルミニウム製のガイド固定部材と、
前記収容部内に設けられ、アルミニウムより融点が高い材料でなる補強部材と、
前記補強部材とともに前記ガイド部材を挟持して固定され、アルミニウムより融点が高い材料でなる補強材固定部材と、
を有し、
前記補強材固定部材は、前記ガイド部材と前記ガイド固定部材とが当接する少なくとも２箇所の当接部を水平方向にて直接対向しないように仕切る仕切り部を備えていることを特徴とするシャッター。
【請求項２】
請求項１に記載のシャッターであって、
前記補強材固定部材は、前記ガイド部材と前記ガイド固定部材とが当接されて、室内側と室外側との間に形成される中空部内に設けられていることを特徴とするシャッター。
【請求項３】
請求項１または請求項２に記載のシャッターであって、
前記仕切り部は、前記ガイド部材の上部側に設けられていることを特徴とするシャッター。
【請求項４】
請求項２または請求項３に記載のシャッターであって、
前記ガイド固定部材は、前記構造物から室外側に突出させて設けられており、前記中空部と前記構造物との間に、シャッターカーテンの左右方向に互いに間隔を隔てた室内側壁部と室外側壁部とを備えた他の中空部を備え、
前記仕切り部の先端は、シャッターカーテンの左右方向において、前記室内側壁部と前記室外側壁部との間に位置することを特徴とするシャッター。
【請求項５】
請求項１乃至請求項４のいずれかに記載のシャッターであって、
前記仕切り部は、前記少なくとも２箇所の当接部のうちのいずれかの当接部が軟化した際に、他の当接部を前記いずれかの当接部に対して遮蔽する位置に設けられていることを特徴とするシャッター。
【発明の詳細な説明】
【技術分野】
【０００１】
本発明は、シャッターカーテンの昇降を案内するガイド部材を有するシャッターに関する。
【背景技術】
【０００２】
従来、窓開口部の左右に立設されたガイドレールに案内されたシャッターカーテンが、上部に設けられたシャッターケース内の巻き取りシャフトにより巻き取り巻き降ろされるシャッターが知られている。このようなシャッターのガイドレールは、建物躯体に固定されたレール取付枠の屋外側に取付けられている(例えば、特許文献１参照)。また、このようなガイドレール及びレール取付枠としては、軽量化及び加工性の良さからアルミニウムにより形成されているものが知られている。
【先行技術文献】
【特許文献】
【０００３】
【特許文献１】特許第３７９０９８１号公報
【発明の概要】
【発明が解決しようとする課題】
【０００４】
アルミニウム製のガイドレール及びレール取付枠は、火災などにより火炎に晒されると、ガイドレール及びレール取付枠が軟化し、上方に設けられているシャッターケースの重量も作用して、ガイドレール及びレール取付枠が変形するおそれがある。さらに、ガイドレールとレール取付枠との取付部分が軟化すると、ガイドレールとレール取付枠との間に隙間が生じ、貫通口が生じてしまうおそれがあるという課題がある。
【０００５】
本発明は、かかる課題に鑑みてなされたものであり、その目的とするところは、火炎等に晒されても貫通口が生じ難いシャッターを提供することにある。
【課題を解決するための手段】
【０００６】
かかる目的を達成するために本発明のシャッターは、シャッターカーテンの側端部を収容する収容部を有し前記シャッターカーテンの昇降を案内するアルミニウム製のガイド部材と、構造物に固定され前記ガイド部材と少なくとも２箇所にて当接するアルミニウム製のガイド固定部材と、前記収容部内に設けられアルミニウムより融点が高い材料でなる補強部材と、前記補強部材とともに前記ガイド部材を挟持して固定されアルミニウムより融点が高い材料でなる補強材固定部材と、を有し、前記補強材固定部材は、前記ガイド部材と前記ガイド固定部材とが当接する少なくとも２箇所の当接部を水平方向にて直接対向しないように仕切る仕切り部を備えていることを特徴とするシャッターである。  
このようなシャッターによれば、アルミニウム製のシャッターカーテンの昇降を案内するガイド部材が有する収容部内にアルミニウムよりも融点が高い補強部材が設けられているので、アルミニウム製のガイド部材が加熱されて軟化する場合であってもガイド部材の変形を抑えることが可能である。また、ガイド部材は、アルミニウムよりも融点が高い補強部材と補強材固定部材とに挟持されるとともに固定されているので、たとえ、ガイド部材が火炎に晒されてもガイド部材の、補強部材と補強材固定部材とに挟持されている固定部は軟化及び溶融されにくい。このため、ガイド部材が加熱されても補強部材とガイド部材とが分離することを防止することが可能である。
【０００７】
また、ガイド部材とガイド固定部材とが当接する少なくとも２箇所の当接部を水平方向にて直接対向しないように補強材固定部材の仕切り部により仕切られるので、たとえ２箇所の当接部のうちのいずれか一方の側が火炎に晒されて、２箇所の当接部のうちの一方の当接部が軟化して隙間が生じたとしても、２箇所の当接部の間に仕切り部が介在されるので２箇所の当接部の間が貫通することを防止することが可能である。また、仕切り部が設けられている補強材固定部材は補強部材に固定されており、補強材固定部材も補強部材もアルミニウムより融点が高いので、たとえ火炎に晒されてアルミニウム製のガイド部材及びガイド固定部材が軟化したとしても、仕切り部を２箇所の当接部を水平方向にて直接対向しない位置に留めることが可能である。このため、火炎等に晒されても貫通口が生じ難いシャッターを提供することが可能である。
【０００８】
かかるシャッターであって、前記補強材固定部材は、前記ガイド部材と前記ガイド固定部材とが当接されて室内側と室外側との間に形成される中空部内に設けられていることが望ましい。  
このようなシャッターによれば、補強材固定部材は、ガイド部材とガイド固定部材とが当接されて室内側と室外側との間に形成される中空部内に設けられているので、補強材固定部材を室内側及び室外側に露出させることなく備えることが可能である。また、室内側または室外側が火炎に晒されて、たとえ室内側または室外側の当接部が軟化及び溶融して隙間が生じたとしても、室内側と室外側との間に仕切り部が介在されるので、室内外に貫通することを防止することが可能である。
【０００９】
かかるシャッターであって、前記仕切り部は、前記ガイド部材の上部側に設けられていることが望ましい。  
このようなシャッターによれば、仕切り部がガイド部材の上部側に設けられているので、より加熱され易く、より貫通し易いガイド部材の上部側に貫通口を生じ難くすることが可能である。
【００１０】
かかるシャッターであって、前記ガイド固定部材は、前記構造物から室外側に突出させて設けられており、前記中空部と前記構造物との間にシャッターカーテンの左右方向に互いに間隔を隔てた室内側壁部と室外側壁部とを備えた他の中空部を備え、前記仕切り部の先端は、シャッターカーテンの左右方向において前記室内側壁部と前記室外側壁部との間に位置することが望ましい。  
このようなシャッターによれば、ガイド部材とガイド固定部材とに形成される中空部と構造物との間に形成された他の中空部の室内側壁部と室外側壁部との間に仕切り部の先端が位置しているので、室外側が火炎に晒されて室外側壁部が軟化して空隙が生じたとしても、外周延出部と室内側壁部との接続部位を遮蔽し室内外に貫通することを防止することが可能である。
【００１１】
かかるシャッターであって、前記仕切り部は、前記少なくとも２箇所の当接部のうちのいずれかの当接部が軟化した際に、他の当接部を前記いずれかの当接部に対して遮蔽する位置に設けられていることが望ましい。  
このようなシャッターによれば、仕切り部が少なくとも２箇所の当接部のうちのいずれかの当接部が軟化したとしても、仕切り部により他の当接部がいずれかの当接部に対して遮蔽されるので、他の当接部が軟化することを抑制することが可能である。
【発明の効果】
【００１２】
本発明によれば、火炎等に晒されても貫通口が生じ難いシャッターを提供することが可能である。
【図面の簡単な説明】
【００１３】
【図１】本実施形態に係るシャッターを示す縦断面図である。
【図２】本実施形態に係るシャッターを示す横断面図である。
【図３】右側のガイドレール及びガイド固定部材を示す横断面図である。
【図４】ガイドレールとガイド固定部材との２つの当接部と補強部材及び補強材固定部材の位置を示す図である。
【図５】補強材固定部材の第１変形例を示す横断面図である。
【図６】補強材固定部材の第２変形例を示す横断面図である。
【発明を実施するための形態】
【００１４】
以下、本発明の一実施形態に係るシャッターについて図面を参照して説明する。
【００１５】
本実施形態におけるシャッター１は、構造物としての建物５に設けられた窓開口部（不図示）を囲むように室外側に取り付けられている。
【００１６】
以下の説明においては、シャッター１のシャッターカーテン２と対面して室外から見たときに上下となる方向かつシャッター開閉方向を上下方向、シャッターカーテン２に沿って左右となる方向かつシャッター面に沿ったシャッター開閉方向と直交する方向を左右方向または見付け方向、シャッターカーテン２と交差する方向である奥行き方向を見込み方向として示す。ここで、見込み方向については、シャッターカーテン２と対面して室外から見たときに、シャッターカーテン２の手前側を単に手前側、シャッターカーテン２の奥側を単に奥側として示す。また、シャッター１が備える各部材は、単体の状態であってもシャッター１が取り付けられた状態にて上下方向、左右方向または見付け方向、見込み方向となる方向にて方向を特定して説明する。
【００１７】
シャッター１は、図１、図２に示すように、昇降自在に設けられたシャッターカーテン２と、シャッターカーテン２の見付け方向における両側端部２ａをそれぞれ収容してシャッターカーテン２の昇降を案内するアルミニウム製の押出成形部材でなるガイド部材としてのガイドレール１０と、建物５に固定されガイドレール１０と少なくとも２箇所にて当接するアルミニウム製の押出成形部材でなるガイド固定部材２０と、ガイドレール１０及びガイド固定部材２０の上方に配置されシャッターカーテン２の巻き取り及び繰り出しを行うシャッターシャフト３ａを備えたシャッターボックス３と、を備えている。
【００１８】
窓開口部の左右に設けられたガイドレール１０及びガイド固定部材２０は、左右が対称の形状をなしているので、ここでは、右側に設けられたガイドレール１０及びガイド固定部材２０にて構成を説明する。以下の説明では、右側に設けられたガイドレール１０及びガイド固定部材２０に対する右側は、シャッター１の外周側となるので外周側と称し、右側に設けられたガイドレール１０及びガイド固定部材２０に対する左側は、シャッター１の中央側となるので中央側と称して説明する。ここで、シャッター１を閉じた際にシャッターカーテン２よりも室内側（奥側）の空間が室内側であり、閉じられたシャッターカーテンより外側の空間は室外側である。
【００１９】
ガイドレール１０は、図３、図４に示すように、室外に臨む外壁部１１と、室内に臨む内壁部１２と、外壁部１１の外周縁と内壁部１２の外周縁とを繋ぐ外周壁部１３と、外周壁部１３と見付け方向に間隔を隔てるとともに平行に設けられた中壁部１４と、を有している。内壁部１２と外壁部１１と中壁部１４とは、中央側が開放され上下方向に沿う溝状の収容部１０ａをなしており、この収容部１０ａ内にシャッターカーテン２の側端部２ａが収容されて昇降する際に案内される。
【００２０】
収容部１０ａの開放された端部となる、外壁部１１の中央側の端部の内面には、繊維が起毛状に設けられたモヘヤ１６が設けられ、内壁部１２の中央側の端部の内面には、軟質の合成樹脂でなるシール材１７が設けられている。
【００２１】
内壁部１２の奥側には、見付け方向におけるほぼ中央から奥方向に向かって延出されて板状をなし、ガイド固定部材２０が当接されように係合する被当接片１２ａが設けられている。また、内壁部１２の手前側には、被当接片１２ａより中央側に、手前方向、すなわち、収容部１０ａ内に向かって延出され、収容部１０ａ内にて昇降するシャッターカーテン２の側端部２ａが収容部１０ａから抜け出ることを防止する抜け防止片１２ｂが設けられている。
【００２２】
ガイドレール１０の収容部１０ａより外周側には、外周壁部１３と中壁部１４との間に上下方向に連続する連続空間が形成されて、ガイドレール１０の剛性を確保している。ガイドレール１０の連続空間を形成する部位の奥側には、外周側の縁近傍から奥側に突出させて、ガイド固定部材２０の縁が挿入されるように当接する挿入当接片１２ｃが設けられている。
【００２３】
収容部１０ａ内には、外壁部１１、中壁部１４、内壁部１２に沿って、アルミニウムより融点が高い、例えば鉄製の補強部材３０が設けられている。補強部材３０は、外壁部１１の開放端に設けられたモヘヤ１６が嵌合されているモヘヤ嵌合部１１ａと隣接する位置から、左右方向において内壁部１２の被当接片１２ａと抜け防止部材１２ｂとの間まで繋がっており、ガイドレール１０のほぼ全長に渡って設けられている。
【００２４】
内壁部１２の奥側には、補強部材３０とともにガイドレール１０の内壁部１２を挟持するように固定される補強材固定部材３１が設けられている。補強材固定部材３１は、内壁部１２の奥側の面における挿入当接片１２ｃと被当接片１２ａとの間に当接される内壁当接部３２と、内壁当接部３２の外周側の縁から奥側に見込み方向に沿って延出された見込み延出部３３と、見込み延出部３３の先端から、内壁当接部３２とほぼ平行をなすとともに見付け方向において内壁当接部３２と反対側に延出された見付け延出部３４とを有している。
【００２５】
補強部材３０と補強材固定部材３１とは、内壁部１２の、中壁部１４と被当接片１２ａとの間の部位を奥側と手前側とから、上下方向における全域を覆うように当接されており、内壁部１２を挟み込んだ状態にて、上下方向に適宜間隔を隔ててリベット１８にて固定されている。
【００２６】
ガイド固定部材２０は、ガイドレール１０の被当接片１２ａの外周側面と当接してビス１９にて固定される当接固定部２１と、当接固定部２１の奥側の縁から見付け方向における外周側方向に延出された外周延出部２２と、外周延出部２２と見込み方向に間隔を隔てて対面するように手前側に設けられた対面壁部２３と、外周延出部２２の外周側縁と対面壁部２３の外周側縁とを繋ぐ外周縁連結部２４と、外周延出部２２の外周側の部位を共有して外周延出部２２より奥側に形成され上下方向に連続する室内側中空部２５と、室内側中空部２５の奥側の部位から延出されて建物５の壁面に当接して固定される壁当接片２６と、を有している。
【００２７】
当接固定部２１の奥側の縁は、見付け方向における中央側に僅かに突出されて、ガイドレール１０の被当接片１２ａの先端１２ｄが当接されてガイドレール１０が位置決めされる位置決め突起２７が設けられている。
【００２８】
ガイドレール１０の挿入当接片１２ｃに、ガイド固定部材２０の対面壁部２３の先端２３ａを挿入して当接し、被当接片１２ａの先端１２ｄをガイド固定部材２０の位置決め突起２７に当接させるとともに被当接片１２ａの外周側面を当接固定部２１に当接させビス１９にて固定することにより、ガイドレール１０とガイド固定部材２０とを２箇所で当接して一体化する。
【００２９】
ガイドレール１０とガイド固定部材２０とが一体化されると、内壁部１２、対面壁部２３、外周縁連結部２４、外周延出部２２、当接固定部２１、及び、被当接片１２ａにより、上下方向に連続する室外側中空部３５が室内側と室外側との間に形成される。ここで、室外側中空部３５が、ガイドレール１０とガイド固定部材２０とが当接されて、室内側と室外側との間に形成される中空部であり、室内側中空部２５が、室外側中空部３５と建物５との間に備えられた他の中空部である。そして、室内側中空部２５を形成し、見込み方向に沿って設けられ、見付け方向に互いに間隔を隔てた壁部２５ａ、２５ｂのうち、外周側に位置する壁部が室外側壁部２５ａに相当し、中央側に位置する壁部が室内側壁部２５ｂに相当する。
【００３０】
ガイドレール１０の内壁部１２を補強部材３０とともに挟持する補強材固定部材３１は、室外側中空部３５内に配置されて補強材固定部材３１の見付け延出部３４は外周延出部２２と対面するように配置される。そして、見付け延出部３４の外周側の先端３４ａは、見付け方向において室外側壁部２５ａと室内側壁部２５ｂとの間に位置している。
【００３１】
また、室外側中空部３５内に設けられた補強材固定部材３１は、ガイドレール１０とガイド固定部材２０との２箇所の当接部である、ガイドレール１０の挿入当接片１２ｃにガイド固定部材２０の対面壁部２３の先端２３ａを挿入された当接部と、ガイドレール１０の被当接片１２ａとガイド固定部材２０の当接固定部２１とを当接させることにより当接させてビス止めされた当接部とを、内壁当接部３２と繋がった見込み延出部３３及び見付け延出部３４により水平方向にて直接対向しないように仕切っている。このため、補強材固定部材３１の見込み延出部３３及び見付け延出部３４が仕切り部に相当する。
【００３２】
本実施形態のシャッター１によれば、シャッターカーテン２の昇降を案内するアルミニウム製のガイドレール１０が有する収容部１０ａ内に鉄製の補強部材３０が設けられているので、アルミニウム製のガイドレール１０が加熱されて軟化する場合であっても、ガイドレール１０の変形を抑えることが可能である。
【００３３】
また、ガイドレール１０は鉄製の補強部材３０と鉄製の補強材固定部材３１とに挟み込まれた状態でリベット１８により固定されているので、たとえ、ガイドレール１０が火炎に晒されても、ガイドレール１０の、補強部材３０と補強材固定部材３１とに挟持されている固定部は軟化及び溶融されにくい。このため、加熱されても補強部材３０とガイドレール１０とが分離することを防止することが可能である。
【００３４】
また、補強材固定部材３１は、ガイドレール１０とガイド固定部材２０とが当接する、
挿入当接片１２ｃと対面壁部２３との当接部及び被当接片１２ａと当接固定部２１との当接部を、水平方向にて直接対向しないように仕切る、見込み延出部３３及び見付け延出部３４を備えているので、たとえ室内側または室外側から火炎に晒されて室内側または室外側の当接部が軟化して隙間が生じたとしても、見込み延出部３３及び見付け延出部３４により室内側と室外側とが遮蔽されるので、室内外に貫通することを防止することが可能である。
【００３５】
また、見込み延出部３３及び見付け延出部３４が設けられている補強材固定部材３１は、補強部材３０に固定されており、補強材固定部材３１も補強部材３０もアルミニウムより融点が高い鉄製なので、たとえ火炎に晒されてアルミニウム製のガイドレール１０及びガイド固定部材２０が軟化したとしても、見込み延出部３３及び見付け延出部３４を、２箇所の当接部を水平方向にて直接対向しない位置に留めることが可能である。このため、火炎等に晒されても貫通口が生じ難いシャッター１を提供することが可能である。
【００３６】
また、補強材固定部材３１は、ガイドレール１０とガイド固定部材２０とが当接されて、室内側と室外側との間に形成される室外側中空部３５内に設けられているので、補強材固定部材３１を室内側及び室外側に露出させることなく備えることが可能である。
【００３７】
また、補強材固定部材３１が設けられている室外側中空部３５が室内側と室外側との間に形成されているので、室外側中空部３５内に設けられた補強材固定部材３１が備える見込み延出部３３及び見付け延出部３４により、２箇所の当接部であるガイドレール１０の挿入当接片１２ｃにガイド固定部材２０の対面壁部２３の先端２３ａを挿入された当接部と、ガイドレール１０の被当接片１２ａとガイド固定部材２０の当接固定部２１とを当接させることにより当接させてビス止めされた当接部とを、水平方向にて直接対向しないように仕切ることが可能である。このため、室外側が火炎に晒されて、挿入当接片１２ｃと対面壁部２３との当接部が軟化して空隙が生じたとしても、被当接片１２ａと当接固定部２１との当接部を火炎から遮蔽する位置に見込み延出部３３及び見付け延出部３４が設けられているので、室内側に位置する、被当接片１２ａと当接固定部２１との当接部が火炎に晒されることを防止することが可能である。また、室内側が火炎に晒されて、被当接片１２ａと当接固定部２１との当接部が軟化して空隙が生じたとしても、挿入当接片１２ｃと対面壁部２３との当接部を火炎から遮蔽する位置に見込み延出部３３及び見付け延出部３４が設けられているので、室外側に位置する、挿入当接片１２ｃと対面壁部２３との当接部が火炎に晒されることを防止することが可能である。
【００３８】
このように、被当接片１２ａと当接固定部２１との当接部または挿入当接片１２ｃと対面壁部２３との当接部のいずれかが軟化したとしても、２つの当接部を水平方向にて直接対向しないように仕切る位置に、見込み延出部３３及び見付け延出部３４が設けられているので、２つの当接部のいずれかを火炎から遮蔽して室内外に貫通することを防止することが可能である。
【００３９】
また、ガイドレール１０とガイド固定部材２０とにより形成される室外側中空部３５と建物５との間に形成された室内側中空部２５の、室外側壁部２５ａと室内側壁部２５ｂとの間に、見付け延出部３４の先端３４ａが位置しているので、室外側が火炎に晒されて室外側中空部３５が軟化して空隙が生じたとしても、外周延出部２２と室内側壁部２５ｂとの接続部位を遮蔽し、室内外に貫通することを防止することが可能である。
【００４０】
上記実施形態おいては、内壁当接部３２、見込み延出部３３、及び、見付け延出部３４の隣り合う部位同士がほぼ直角をなすように形成された補強材固定部材３１について説明したが、補強材固定部材３１の形状はこれに限るものではない。例えば、図５に示すように、内壁部１２の奥側の面における挿入当接片１２ｃと被当接片１２ａとの間に当接される内壁当接部３６ａと、内壁当接部３２の外周側の縁から斜めに延出された仕切り部としての傾斜延出部３６ｂとを有し、傾斜延出部３６ｂの先端が、見付け方向において室外側壁部２５ａと室内側壁部２５ｂとの間に位置するように形成された補強材固定部材３６であっても構わない。また、図６に示すように、上述した補強材固定部材３１の見付け延出部３４を有していない、内壁当接部３７ａと仕切り部としての見込み延出部３７ｂとで構成された補強材固定部材３７であっても構わない。
【００４１】
上記実施形態においては、補強材固定部材３１がガイドレール１０のほぼ全長に渡って設けられている例について説明したが、これに限らず、補強部材３０にリベット１８により固定されている部位の近傍にてガイドレール１０の内壁部１２を覆うように設けられていてもよい。また、補強材固定部材３１が有する仕切り部としての見込み延出部３３及び見付け延出部３４は、必ずしもガイドレール１０の全長に渡って設けられていなくともよく、例えば、上方に広がる火炎や上昇する熱気により加熱され易い上部側のみに設けられていてもよい。この場合には、補強材固定部材３１が小さくなるので、軽量化が図られるとともにコストを低減することを可能としつつも、少なくとも、加熱されやすく軟化されやすい上部側に見込み延出部３３及び見付け延出部３４が設けられているので、ガイドレール１０とガイド固定部材２０との間に室内外を貫通する空隙が短時間で形成されることを防止することが可能である。
【００４２】
上記実施形態においては、補強部材３０と補強材固定部材３１とを内壁部１２を挟んでリベット１８にて固定した例について説明したが、これに限らず、ねじなど、中壁部１４を挟持した状態にて補強部材３０と補強材固定部材３１とを固定できる固定材であれば構わない。また、ガイドレール１０とガイド固定部材２０との当接部は、２箇所に限らず、少なくとも２箇所に設けられており、少なくとも１箇所ずつが、見込み延出部３３と見付け延出部３４の室内側及び室外側に１箇所ずつ配置されれば構わない。
【００４３】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４４】
１  シャッター、２  シャッターカーテン、２ａ  側端部、５  建物、
１０  ガイドレール、１０ａ  収容部、１２ａ  被当接片、１２ｃ  挿入当接片、
２０  ガイド固定部材、２１  当接固定部、２３  対面壁部、２３ａ  対面壁部の先端、２５  室内側中空部、２５ａ  室外側壁部、２５ｂ  室内側壁部、３０  補強部材、
３１  補強材固定部材、３３  見込み延出部、３４  見付け延出部、
３４ａ  見付け延出部の先端、３５  室外側中空部、３６  補強材固定部材、
３６ｂ  傾斜延出部、３７  補強材固定部材、３７ｂ  延出部、
【図１】
2015028273.tif 000003
【図２】
2015028273.tif 000004
【図３】
2015028273.tif 000005
【図４】
2015028273.tif 000006
【図５】
2015028273.tif 000007
【図６】
2015028273.tif 000008